(57)【要約】【課題】  簡単な構成で、明け方、夕暮れ等の薄暗がりでもアクセントや装飾効果を与えることができるアイラインＬＥＤガーニッシュを提供する。【解決手段】  自動車のヘッドライトのヘッドライトレンズの縁部に取り付けられるアイライン本体７と、リフレクタに光を照射可能に前記アイライン本体７内側に配設されたＬＥＤ８とを備え、アイライン本体７に外表面が凸、裏面が凹部のアクセント部７ａを形成し、アクセント部７ａの内側にＬＥＤ８を配設した。また、一対のヘッドライトの各々が複数のときに、一つのランプに少なくとも一つのＬＥＤ８が対応するようにした。【選択図】        図５
2005123145.tif 000002
【特許請求の範囲】
【請求項１】
自動車のヘッドライトのヘッドライトレンズの縁部に取り付けられるアイライン本体と、
リフレクタに光を照射可能に前記アイライン本体内側に配設されたＬＥＤと、
を備えたことを特徴とするアイラインＬＥＤガーニッシュ。
【請求項２】
一対のヘッドライトの各々が複数のときに、一つのランプに少なくとも一つのＬＥＤが対応するようにしたことを特徴とする請求項１記載のアイラインＬＥＤガーニッシュ。
【請求項３】
一対のヘッドライト毎にＬＥＤの光色を複数種類としたことを特徴とする請求項２記載のアイラインＬＥＤガーニッシュ。
【請求項４】
ＬＥＤのアイライン本体に外表面が凸、裏面が凹部のアクセント部を形成し、前記アクセント部の内側にＬＥＤを配設したことを特徴とする請求項１〜３のいずれかに記載のアイラインＬＥＤガーニッシュ。
【請求項５】
ＬＥＤの照射光がリフレクタの略焦点を通るように配設したことを特徴とする請求項１〜４のいずれかに記載のアイラインＬＥＤガーニッシュ。
【請求項６】
ＬＥＤのオン・オフはスモールランプのオン・オフに連動するようにしたことを特徴とする請求項１〜５のいずれかに記載のアイラインＬＥＤガーニッシュ。
【発明の詳細な説明】
【技術分野】
【０００１】
この発明は、自動車のヘッドライトのヘッドライトレンズの縁部に取り付けられるアイラインＬＥＤガーニッシュに関する。
【背景技術】
【０００２】
従来のアイラインガーニッシュは、例えば、各種の色の樹脂板の成形品、または、成形した樹脂板に塗装したもので、ヘッドランプレンズの上方の縁部等に貼り付けて、フロントマスクにアクセントや装飾効果を与えたり雰囲気を変えていた。【０００３】
しかし、従来のアイラインガーニッシュは昼間はアクセントや装飾効果を与えたり雰囲気を変えることができても、明け方、夕暮れ等の薄暗がりではアクセントや装飾効果を与えることができないという問題があった（例えば、特許文献１参照）【０００４】
【特許文献１】実開平７−３４５０７号公報（段落００２５、図１）
【発明の開示】
【発明が解決しようとする課題】
【０００５】
この発明は、上記の課題を解決するためになされたものであり、簡単な構成で、明け方、夕暮れ等の薄暗がりでもアクセントや装飾効果を与えることができるアイラインＬＥＤガーニッシュを提供することを目的とする。
【課題を解決するための手段】
【０００６】
この発明に係るアイラインＬＥＤガーニッシュは、自動車のヘッドライトのヘッドライトレンズの縁部に取り付けられるアイライン本体と、リフレクタに光を照射可能に前記アイライン本体内側に配設されたＬＥＤと、を備える。【０００７】
また、一対のヘッドライトの各々が複数のときに、一つのランプに少なくとも一つのＬＥＤが対応するようにしたものである。【０００８】
また、一対のヘッドライト毎にＬＥＤの光色を複数種類としたものである。【０００９】
また、ＬＥＤのアイライン本体に外表面が凸、裏面が凹部のアクセント部を形成し、前記アクセント部の内側にＬＥＤを配設したものである。【００１０】
また、ＬＥＤの照射光がリフレクタの略焦点を通るように配設したものである。【００１１】
また、ＬＥＤのオン・オフはスモールランプのオン・オフに連動するようにしたものである。
【発明の効果】
【００１２】
この発明によれば、自動車のヘッドライトのヘッドライトレンズの縁部に取り付けられるアイライン本体と、リフレクタに光を照射可能に前記アイライン本体内側に配設されたＬＥＤと、を備えたので、昼間はアイラインガーニッシュ本体でアクセントと装飾の効果を得ることができるとともに、簡単な構成により、明け方、夕暮れ等の薄暗がり及び夜間でもヘッドライト点灯前に、ヘッドライトをＬＥＤの照射光をリフレクタで反射させヘッドライト全体をＬＥＤの光で光らせアクセントや装飾効果を得ることができ、さらに、安全性を向上させることができる。【００１３】
また、一対のヘッドライトの各々が複数のときに、一つのランプに少なくとも一つのＬＥＤが対応するようにしたので、全てのヘッドライトでＬＥＤの光を得ることができバランスのよい装飾効果を得ることができる。【００１４】
また、一対のヘッドライト毎にＬＥＤの光色を複数種類としたので、さらに装飾効果を得ることができる。【００１５】
また、ＬＥＤのアイライン本体に外表面が凸、裏面が凹部のアクセント部を形成し、前記アクセント部の内側にＬＥＤを配設したので、ＬＥＤの収納とアクセント部を兼ねることができる。【００１６】
また、ＬＥＤの照射光がリフレクタの略焦点を通るように配設したので、ＬＥＤが少なくともリフレクタの反射でヘッドライト全体を光らせることができる。【００１７】
また、ＬＥＤのオン・オフはスモールランプのオン・オフに連動するようにしたので、特にアイラインＬＥＤガーニッシュ用のスイッチを設けなくともよい。
【発明を実施するための最良の形態】
【００１８】
図１はこの発明の実施例を示すアイラインＬＥＤガーニッシュが取り付けられた自動車のヘッドランプの正面図、図２は図１の上面図、図３は図１のＡ−Ａ断面図、図４は図１のＢ−Ｂ断面図、図５はアイラインＬＥＤガーニッシュの正面図、図６は図５の上面図、図７はＬＥＤ基板の構成図である。【００１９】
図１〜図４において、自動車のヘッドランプは、ヘッドライトレンズ１がハウジング２の開口部に取り付けられ、内部にすれ違いビーム用ランプ３と走行ビーム用ランプ４が内装されている。
自動車のヘッドライトのヘッドライトレンズ１の縁部にはアイラインＬＥＤガーニッシュ９が取り付けられており、アイラインＬＥＤガーニッシュ９は、ヘッドライトレンズ１の縁部に取り付けられるアイライン本体７と、リフレクタに光を照射可能にアイライン本体７の内側に取り付けられたＬＥＤ８から構成される。
また、すれ違いビーム用ランプ３と走行ビーム用ランプ４には、各々リフレクタ５、６が設けられている。【００２０】
次に、アイラインＬＥＤガーニッシュ９の詳細構成を図５〜７により説明する。図７（ａ）はハーネスが接続されたＬＥＤ基板んも正面図、図７（ｂ）は側面図である。
アイライン本体７はヘッドライトレンズ１の縁部の取付部の形状に合った形状に成形された樹脂板であり、断面略くの字形状である。
アイライン本体７は各種の色の樹脂を使用するか、または、成形した樹脂板に塗装したものである。【００２１】
ＬＥＤのアイライン本体の外表面が凸、裏面が凹部のアクセント部７ａを形成している。ＬＥＤ８はＬＥＤ基板１０に実装され、ＬＥＤ基板にはハーネス１１が接続されており、ＬＥＤ基板１０はアクセント部７ａの内側に取り付けられる。
また、ＬＥＤ８の照射特性は指向性の低いものの方が全体のコントランスをだすための位置調整がし易すい。【００２２】
なを、ＬＥＤ８の発行色はヘッドライトに対する法規制により白色光か青色光に限られるので装飾性のある青色光のものを主に使用するが、ヘッドライトのすれ違いビーム用ランプ３と走行ビーム用ランプ４対応のＬＥＤを各々青色光とせず、すれ違いビーム用ランプ３対応のＬＥＤ８を青色光、走行ビーム用ランプ４対応のＬＥＤ８を白色光等としてもよい。この場合は、ＬＥＤ８の照射特性は指向性の高いものがよい。【００２３】
ＬＥＤ基板１０の取付位置は、図１、図２に示すように、ヘッドライトのヘッドライトレンズ１の縁部にアイラインＬＥＤガーニッシュ９を取り付けるとき、すれ違いビーム用ランプ３、走行ビーム用ランプ４に各々一つのＬＥＤ８が対応し、各ＬＥＤ８の照射光がリフレクタ５、６の略焦点を通るように、すれ違いビーム用ランプ３、走行ビーム用ランプ４の略光軸の鉛直上方の位置となるようにする。【００２４】
また、ＬＥＤ基板１０は図７に示すようにＬＥＤ８に接続されたハーネス１１により、自動車のスモールランプのスイッチに並列に接続し、スモールランプのオン・オフに連動してＬＥＤ８がオン・オフするようにする。【００２５】
次に、アイラインＬＥＤガーニッシュ９をヘッドライトに取り付けて使用するときの動作を図３、図４により説明する。
自動車で走行中に、明け方、または、夕暮れとなり、ヘッドライトを消して、スモールランプスイッチをオンとすると、ヘッドライトのヘッドライトレンズ１の上部に取り付けられたアイラインＬＥＤガーニッシュ９の、すれ違いビーム用ランプ３、走行ビーム用ランプ４に各々対応したＬＥＤ８が発光し、照射光は図３、図４に示すようにヘッドライトレンズ１の上部からランプ３のリフレクタ５、ランプ４のリフレクタ６に照射され、反射光（図示せず）がランプ３、ランプ４の前面のヘッドライトレンズ１を青色に輝かせる。
【図面の簡単な説明】
【００２６】
【図１】この発明の実施例を示すアイラインＬＥＤガーニッシュが取り付けられた自動車のヘッドランプの正面図である。
【図２】図１の上面図である。
【図３】図１のＡ−Ａ断面図である。
【図４】図１のＢ−Ｂ断面図である。
【図５】この発明の実施例を示すアイラインＬＥＤガーニッシュの正面図である。
【図６】図５の上面図である。
【図７】この発明の実施例を示すアイラインＬＥＤガーニッシュのＬＥＤ基板の構成図である。
【符号の説明】
【００２７】
１  ヘッドライトレンズ、３  ランプ、４  ランプ、５、６  リフレクタ、７  アイライン本体、７ａ  アクセント部、８  ＬＥＤ、９  アイラインガーニッシュ、１０  ＬＥＤ基板。
【図１】
2005123145.tif 000003
【図２】
2005123145.tif 000004
【図３】
2005123145.tif 000005
【図４】
2005123145.tif 000006
【図５】
2005123145.tif 000007
【図６】
2005123145.tif 000008
【図７】
2005123145.tif 000009